(57)【特許請求の範囲】
【請求項１】
圧縮手段（３）により圧縮可能である、流出口（２．２）を備えたバッグ（２．１）を含んでなり、バッグ（２．１）が非可撓性であるよう構成され、そして圧縮手段（３）にかけられる領域において可撓性になるよう構成される薬剤容器（２）であって、バッグ（２．１）が、感熱性のスキン又はスキン層を含んでなり、それは、加熱圧縮手段（３）にかけられたとき可撓性になり、そして加熱後加熱されないか又は冷却したとき、加熱圧縮手段（３）に既にかけられた領域において非可撓性になるよう構成されることを特徴とする、薬剤容器（２）。
【請求項２】
圧縮手段（３）により圧縮可能である、流出口（２．２）を備えたバッグ（２．１）を含んでなり、バッグ（２．１）が非可撓性であるよう構成され、そして圧縮手段（３）にかけられる領域において可撓性になるよう構成される薬剤容器（２）であって、バッグ（２．１）が、スキン又はスキン層を含んでなり、それは化学剤、放射、磁場、電場、電流、加熱された圧縮手段、及び機械的影響の少なくとも一つにかけられることにより局部的に軟化し、又は可撓性になり得ることを特徴とする、薬剤容器（２）。
【請求項３】
スキン層が外層であることを特徴とする、請求項１または２に記載の薬剤容器（２）。
【請求項４】
圧縮手段（３）により圧縮可能である、流出口（２．２）を備えたバッグ（２．１）を含んでなり、バッグ（２．１）が非可撓性であるよう構成され、そして圧縮手段（３）にかけられる領域において可撓性になるよう構成される薬剤容器（２）であって、バッグ（２．１）が、少なくとも一つの可撓性層、及び圧縮手段（３）にかけられるとき取り外し可能である、硬質外部スキン層を備えたスキンを含んでなることを特徴とする、薬剤容器（２）。
【請求項５】
スキン層が、糖、塩、及びワックスの一つを含んでなることを特徴とする、請求項２〜４に記載の薬剤容器（２）。
【請求項６】
スキン又はスキン層が、銀又はＵＶ感受性ポリマーを含んでなり、前記スキン又はスキ
ン層が可撓性にされるか、或いは可視光又は紫外光の放射にかけられることによって、スキン層が取り外されるか、又は溶融するよう配置されることを特徴とする、請求項２〜５のいずれか１項に記載の薬剤容器（２）。
【請求項７】
袋（２．１）が、平面状で、硬質の支持体（４）上に配置され、そして圧縮手段（３）として機能するローラが、支持体（４）に抗してバッグ（２．１）を局部的に押圧し、バッグ（２．１）の縦方向に前進するように配置されることを特徴とする、請求項１〜６のいずれか１項に記載の薬剤容器（２）。
【請求項８】
請求項１〜７の内のいずれか１項に記載の薬剤容器（２）を含んでなる、液体薬剤を送達するための注射装置（１）。
【請求項９】
患者の皮膚を穿刺するためのバルブ（５）及び中空ニードル（６）が流出口（２．２）に配置されることを特徴とする、請求項８に記載の注射装置（１）。
【請求項１０】
請求項１〜７のいずれか１項に記載の薬剤容器（２）を含んでなる液体薬剤を送達するための吸入器配置。
【発明の詳細な説明】
【技術分野】
【０００１】
本発明は、圧縮手段により圧縮可能である流出口を備えたバッグを含んでなる薬剤容器に関する。
【０００２】
多くの薬剤は体内へ注射する必要がある。これは、特に、例えば、タンパク質（インスリン、成長ホルモン、インターフェロンなどの）、炭水化物（例えば、ヘパリン）、抗生物質、及び大部分のワクチンのような、経口投与により非活性化し、又は効率を著しく低下させる薬剤に適用する。そのような薬剤は、主として、注射器、薬剤ペン、又は薬剤ポンプにより注射される。
【背景技術】
【０００３】
幾つかの薬剤はいわゆる吸入器からそれらを吸入することにより投与する必要がある。
【０００４】
特許文献１は吸入器を開示し、ここで、吸入すべき薬剤は、バッグの形状をした薬剤容器内に貯蔵される。
【０００５】
特許文献２は、流出口を有する可撓性バッグ、圧縮手段により圧縮可能なバッグを含む薬剤容器を備えた輸液ポンプを開示する。
【０００６】
特許文献３は、流出口を有する可撓性バッグ、圧縮手段で圧縮可能なバッグを含む薬剤容器を備えた薬剤送達デバイスを開示している。
【０００７】
特許文献４は、流出口を備えたバッグ、圧縮手段で圧縮可能なバッグを含む薬剤容器を開示する。バッグは、非可撓性の下半分及び可撓性の上半分を有する。可撓性の上半分は、圧縮手段にかけられることが意図されている。
【０００８】
特許文献５は、喉用の薬剤溶液用のポータブルな薬剤溶液の容器を開示し、容器は流出口を有する可撓性バッグを含み、バッグは圧縮手段で圧縮可能である。
【０００９】
特許文献６は、流出口を有する可撓性バッグを含む薬剤容器を備えた輸液ポンプを開示し、バッグは圧縮手段により圧縮可能である。
【００１０】
特許文献７は、ホットメルト素材を保持するための容器を開示している。容器はサセプタ（susceptor）層、マイクロ波透過（microwave transparent）層、並びに熱伝達可能及びマイクロ波透過層を有する。含まれるホットメルト素材は、マイクロ波照射により発生する熱で軟化する。
【先行技術文献】
【特許文献】
【００１１】
【特許文献１】ＷＯ第２００９／０６９５１８号Ａ１
【特許文献２】ＵＳ第５３３０４３１号
【特許文献３】ＵＳ第２００１／０１６７１０号
【特許文献４】ＵＳ第２８０５６６２号
【特許文献５】ＥＰ第２０４２２０７号
【特許文献６】ＵＳ第２００５／２７７８８７号
【特許文献７】ＵＳ第５３６８１９９号
【発明の概要】
【発明が解決しようとする課題】
【００１２】
本発明の目的は、改良した薬剤容器を提供することである。
【００１３】
本発明の更なる目的は、遅延滴下（delayed dripping）を回避し、そして用量精度を改良する注射装置を提供することである。
【００１４】
その目的は請求項１に記載の薬剤容器で達成される。
【００１５】
発明の好ましい実施態様は、従属項で与えられる。
【課題を解決するための手段】
【００１６】
発明に記載の薬剤容器を備えた注射装置は、流出口を備えたバッグを含む。好ましくは、相対的に薄いスキンを備えたバッグは、徐々にバッグの体積を低下させ、そして結果として、練り歯磨きのチューブと同様、流出口からバッグに貯蔵されている薬剤を搾り出すために、圧縮手段により圧縮可能である。流出口は、通常、ある種のボトルネックを示し、特に、バルブ、及び／又は、注射ニードルを備えているときにそうであるので、バッグの圧縮は、バッグ内部の内部圧力を生成させる。バッグは、圧縮手段にかけられる領域で可撓性又は軟質であるよう配置され、そして、残りの領域、又は圧縮手段に未ださらされたことのない領域では本質的に非可撓性であるように配置される。バッグを圧縮するのに費やされる努力が、バッグの膨張よりむしろ流出口を通して、実質的に、完全に、薬剤を送達することに割かれるので、この挙動は、増大する内部圧力により、圧縮手段にかけられていない領域におけるバッグの一時的膨張を避けることになる。本発明の配置は、圧縮手段の前進が停止したとき、膨張したバッグの緩和による遅延滴下を避ける。更にその上、投与が改良された精度で実施できる。
【００１７】
バッグは加熱圧縮手段にかけられる（subjection）と可撓性になり、そして加熱しないとき、又は加熱後、冷却したとき、本質的に非可撓性になるよう配置される、感熱性のスキン又はスキン層を有する。これは、特に、液体内容物よりむしろ圧縮手段に直接接触する外部スキン層に適用される。
【００１８】
発明の別の実施態様において、バッグは化学剤、放射、磁場、電場、電流及び機械的影響の少なくとも一つへさらされることにより局部的に軟化し、又は可撓性になり得るスキン又はスキン層を含む。これは、特に、液体内容物よりむしろ圧縮手段に直接接触する外部スキン層に適用される。
【００１９】
尚、別の実施態様において、バッグは、少なくとも一つの可撓性層を有するスキン、及び硬質の外部スキン層を含み、それは、圧縮手段にかけられるとき取り外し可能である。
【００２０】
スキン層は、本質的に非可撓性素材である糖、塩、及びワックスの内一つを含んでもよい。
【００２１】
スキン又はスキン層は、また、銀、例えば、銀イオンの形体で含んでもよく、ここで、スキン又はスキン層は、可撓性になるように配置され、又はここで、スキン層が可視光又は紫外光放射にかけられることにより、取り外し又は溶解するよう配置される。銀を保持している物質の性質は、放射に対してそれらをさらすと変化する白黒写真処理から公知である。スキン又はスキン層は、また、ＵＶ感受性ポリマーを含んでもよく、ここで、スキン又はスキン層は、可撓性になるように配置され、又はここで、スキン層は、ウエーハー曝露から公知の通り、紫外光放射にかけられるとき、除去又は溶解するよう配置される。
【００２２】
発明の好ましい実施態様において、バッグは、本質的に、平面状で、硬質の支持体上に配置され、ローラは、支持体に対してバッグを局部的に押圧し、そしてバッグの縦方向に前進するよう配置される。ローラは、あるいは、バッグを押圧し、そして回転せずに前進するシュー又はワイパにより代替され得る。
【００２３】
薬剤容器は、ヒト又は動物に対して液体薬剤を送達するための注射装置、又は吸入器配置の部分であり得る。
【００２４】
注射装置は、患者の皮膚を穿刺するため、バルブ及び中空ニードル含んでもよく、バルブ及びニードルは、薬剤容器の流出口に配置される。ジェット注射器の場合、ニードルの代わりに、ジェットノズルを配置し得る。
【００２５】
薬剤容器は、好ましくは、鎮痛薬、抗凝固剤、インスリン、インスリン誘導体、ヘパリン、ロベノックス、ワクチン、成長ホルモン、ペプチドホルモン、タンパク質、及び複合炭化水素の一つを送達するために用いられる。
【００２６】
スキン又は外部スキン層は、また、周囲の影響に対してバッグの内容物の保護を改良できる。
【発明を実施するための形態】
【００２７】
本発明の適用性の更なる範囲は、以下に示す詳細な説明から明白になるであろう。しかし、発明の精神及び範囲内における様々な変更及び改変は、この詳細な説明から当業者に対しては明白になるので、詳細な説明及び具体的な実例は、本発明の好ましい実施態様を示すが、図解としてのみで与えられたものであることは当然である。
【００２８】
本発明は、以下に与えられた詳細な説明、及び図解としてのみ与えられ、そしてそれ故、本発明の限界を示すものではない添付の図面からより完全に理解されるであろう。
【図面の簡単な説明】
【００２９】
【図１】薬剤容器、圧縮手段、及び支持体を含む注射装置の概略図である。
【００３０】
図１は薬剤容器２、圧縮手段３、及び支持体４を含む注射装置の概略図を示す。
【００３１】
薬剤容器２は流出口２．２を備えたバッグ２．１を含む。バッグ２．１は、相対的に薄いスキンを有し、そして圧縮手段３で圧縮可能である。それにより、バッグ２．１の体積は徐々に低下し、結果として、バッグ２．１内に貯蔵された薬剤は、流出口２．２から搾り出される。注射装置１は、更に、流出口２．２に配置されたバルブ５及び中空ニードル６を含む。圧縮手段は、反作用力Ｆ′が負荷される支持体４に対して力Ｆで押圧できるローラの形状である。この作用に基づき、バッグ２．１は、圧縮手段３と支持体の間で局部的に圧縮される。圧縮手段は、その後、ｖで割り当てられる矢印で示される方向において、速度ｖで前進でき、それにより、徐々にバッグ２．１の体積を低下させる。
【００３２】
バッグ２．１が圧縮されるとき、バッグ２．１の内側の内部圧力が上昇する。バッグ２．１は、圧縮手段３にかけられる領域において、それぞれ、可撓性又は軟質になるよう配置され、そして残りの領域、又は圧縮手段３に、未だ、さらされていない領域において、本質的に非可撓性になるよう配置される。
【００３３】
バッグ２．１は感熱性のスキン、スキン層を含み、それは加熱圧縮手段にかけられると可撓性になるように、そして加熱しないとき、又は加熱後、冷却したとき、本質的に非可撓性になるよう配置される。これは、特に、液体内容物よりむしろ圧縮手段３に直接接触する外部スキン層に適用される。
【００３４】
発明の別の実施態様において、バッグ２．１は、化学剤、放射、磁場、電場、電流及び機械的影響の少なくとも一つへさらすことにより、局部的に軟化し、又は可撓性になり得るスキン又はスキン層を含む。個々の媒体への曝露は圧縮手段３により、又は圧縮手段３で前進する分離装置により負荷される。
【００３５】
尚、別の実施態様によると、バッグ２．１は、少なくとも一つの可撓性層を有するスキン、及び硬質の外部スキン層を含み、それは圧縮手段３にかけられるとき、又はその前に取り外し可能である。例えば、スキン層は、圧縮手段３、又は圧縮手段３の前方へ走行する別の配置により、スキンから剥がせるか、又はほどける。
【００３６】
スキン層は糖、塩、及びワックスの一つを含んでもよい。
【００３７】
スキン又はスキン層は、また、銀、例えば、銀イオンの形体で含んでもよく、ここで、スキン又はスキン層は、可撓性になるように配置され、又はここで、スキン層は、可視光又は紫外光放射にかけられるとき、除去又は溶解するよう配置される。
【００３８】
ローラ形状の圧縮手段３は、あるいは、バッグ２．１を押圧するシュー又はワイパにより代替でき、そして、回転することなく前進する。
【００３９】
薬剤容器は、ヒト又は動物に対して液体薬剤を送達するための、いかなる種類の注射装置又は吸入器配置の部分であってもよい。
【００４０】
図で示す中空ニードル６の代わりに、ジェットノズルが提供されてもよい。
【００４１】
薬剤容器２は、好ましくは、鎮痛剤、抗凝固剤、インスリン、インスリン誘導体、ヘパリン、ロベノックス、ワクチン、成長ホルモン、ペプチドホルモン、タンパク質、及び複合炭化水素の一つを送達するために用いられる。
【００４２】
本明細書で使用する用語「薬剤」は、少なくとも１つの薬学的に活性な化合物を含む医薬製剤を意味し、
ここで一実施態様において、薬学的に活性な化合物は、最大で１５００Ｄａまでの分子量を有し、及び／又は、ペプチド、蛋白質、多糖類、ワクチン、ＤＮＡ、ＲＮＡ、抗体、酵素、抗体、ホルモン、若しくはオリゴヌクレオチド、又は上記の薬学的に活性な化合物の混合物であり、
ここで更なる実施態様において、薬学的に活性な化合物は、糖尿病、又は糖尿病性網膜症などの糖尿病関連の合併症、深部静脈又は肺血栓塞栓症などの血栓塞栓症、急性冠症候群（ＡＣＳ）、狭心症、心筋梗塞、癌、黄斑変性症、炎症、枯草熱、アテローム性動脈硬化症、及び／又は、関節リウマチの治療、及び／又は、予防に有用であり、
ここで更なる実施態様において、薬学的に活性な化合物は、糖尿病、又は糖尿病性網膜症などの糖尿病に関連する合併症の治療、及び／又は、予防のための少なくとも１つのペプチドを含み、
ここで更なる実施態様において、薬学的に活性な化合物は、少なくとも１つのヒトインスリン、又はヒトインスリン類似体若しくは誘導体、グルカゴン様ペプチド（ＧＬＰ−１）、又はその類似体若しくは誘導体、又はエキセンジン−３又はエキセンジン−４、若しくはエキセンジン−３又はエキセンジン−４の類似体若しくは誘導体を含む。
【００４３】
インスリン類似体は、例えば、Ｇｌｙ（Ａ２１）、Ａｒｇ（Ｂ３１）、Ａｒｇ（Ｂ３２）ヒトインスリン；Ｌｙｓ（Ｂ３）、Ｇｌｕ（Ｂ２９）ヒトインスリン；Ｌｙｓ（Ｂ２８）、Ｐｒｏ（Ｂ２９）ヒトインスリン；Ａｓｐ（Ｂ２８）ヒトインスリン；ヒトインスリンであり、ここで、Ｂ２８位におけるプロリンは、Ａｓｐ、Ｌｙｓ、Ｌｅｕ、Ｖａｌ又はＡｌａで代替され、そして、Ｂ２８位において、Ｌｙｓは、Ｐｒｏで代替されてもよく；Ａｌａ（Ｂ２６）ヒトインスリン；Ｄｅｓ（Ｂ２８−Ｂ３０）ヒトインスリン；Ｄｅｓ（Ｂ２７）ヒトインスリン、及びＤｅｓ（Ｂ３０）ヒトインスリンである。
【００４４】
インスリン誘導体は、例えば、Ｂ２９−Ｎ−ミリストイル−ｄｅｓ（Ｂ３０）ヒトインスリン；Ｂ２９−Ｎ−パルミトイル−ｄｅｓ（Ｂ３０）ヒトインスリン；Ｂ２９−Ｎ−ミリストイルヒトインスリン；Ｂ２９−Ｎ−パルミトイル ヒトインスリン；Ｂ２８−Ｎ−ミリストイルＬｙｓＢ２８ＰｒｏＢ２９ヒトインスリン；Ｂ２８−Ｎ−パルミトイル−ＬｙｓＢ２８ＰｒｏＢ２９ヒトインスリン；Ｂ３０−Ｎ−ミリストイル−ＴｈｒＢ２９ＬｙｓＢ３０ヒトインスリン；Ｂ３０−Ｎ−パルミトイル−ＴｈｒＢ２９ＬｙｓＢ３０ヒトインスリン；Ｂ２９−Ｎ−（Ｎ−パルミトイル−γ−グルタミル）−ｄｅｓ（Ｂ３０）ヒトインスリン；Ｂ２９−Ｎ−（Ｎ−リトコリル−γ−グルタミル）−ｄｅｓ（Ｂ３０）ヒトインスリン；Ｂ２９−Ｎ−（ω−カルボキシヘプタデカノイル）−ｄｅｓ（Ｂ３０）ヒトインスリン、及びＢ２９−Ｎ−（ω−カルボキシヘプタデカノイル）ヒトインスリンである。
【００４５】
エキセンジン−４は、例えば、エキセンジン−４（１−３９）、Ｈ−Ｈｉｓ−Ｇｌｙ−Ｇｌｕ−Ｇｌｙ−Ｔｈｒ−Ｐｈｅ−Ｔｈｒ−Ｓｅｒ−Ａｓｐ−Ｌｅｕ−Ｓｅｒ−Ｌｙｓ−Ｇｌｎ−Ｍｅｔ−Ｇｌｕ−Ｇｌｕ−Ｇｌｕ−Ａｌａ−Ｖａｌ−Ａｒｇ−Ｌｅｕ−Ｐｈｅ−Ｉｌｅ−Ｇｌｕ−Ｔｒｐ−Ｌｅｕ−Ｌｙｓ−Ａｓｎ−Ｇｌｙ−Ｇｌｙ−Ｐｒｏ−Ｓｅｒ−Ｓｅｒ−Ｇｌｙ−Ａｌａ−Ｐｒｏ−Ｐｒｏ−Ｐｒｏ−Ｓｅｒ−ＮＨ2配列のペプチドを意味する。
【００４６】
エキセンジン−４誘導体は、例えば、以下の化合物リスト：
Ｈ−（Ｌｙｓ）４−ｄｅｓＰｒｏ３６，ｄｅｓＰｒｏ３７エキセンジン−４（１−３９）−ＮＨ2；
Ｈ−（Ｌｙｓ）５−ｄｅｓＰｒｏ３６，ｄｅｓＰｒｏ３７エキセンジン−４（１−３９）−ＮＨ2；
ｄｅｓＰｒｏ３６［Ａｓｐ２８］エキセンジン−４（１−３９）；
ｄｅｓＰｒｏ３６［ＩｓｏＡｓｐ２８］エキセンジン−４（１−３９）；
ｄｅｓＰｒｏ３６［Ｍｅｔ（Ｏ）１４，Ａｓｐ２８］エキセンジン−４（１−３９）；
ｄｅｓＰｒｏ３６［Ｍｅｔ（Ｏ）１４，ＩｓｏＡｓｐ２８］エキセンジン−４（１−３９）；
ｄｅｓＰｒｏ３６［Ｔｒｐ（Ｏ２）２５，Ａｓｐ２８］エキセンジン−４（１−３９）；
ｄｅｓＰｒｏ３６［Ｔｒｐ（Ｏ２）２５，ＩｓｏＡｓｐ２８］エキセンジン−４（１−３９）；
ｄｅｓＰｒｏ３６［Ｍｅｔ（Ｏ）１４Ｔｒｐ（Ｏ２）２５，Ａｓｐ２８］エキセンジン−４（１−３９）；
ｄｅｓＰｒｏ３６［Ｍｅｔ（Ｏ）１４Ｔｒｐ（Ｏ２）２５，ＩｓｏＡｓｐ２８］エキセンジン−４（１−３９）；又は
ｄｅｓＰｒｏ３６［Ａｓｐ２８］エキセンジン−４（１−３９）；
ｄｅｓＰｒｏ３６［ＩｓｏＡｓｐ２８］エキセンジン−４（１−３９）；
ｄｅｓＰｒｏ３６［Ｍｅｔ（Ｏ）１４，Ａｓｐ２８］エキセンジン−４（１−３９）；
ｄｅｓＰｒｏ３６［Ｍｅｔ（Ｏ）１４，ＩｓｏＡｓｐ２８］エキセンジン−（１−３９）；
ｄｅｓＰｒｏ３６［Ｔｒｐ（Ｏ２）２５，Ａｓｐ２８］エキセンジン−４（１−３９）；
ｄｅｓＰｒｏ３６［Ｔｒｐ（Ｏ２）２５，ＩｓｏＡｓｐ２８］エキセンジン−４（１−３９）；
ｄｅｓＰｒｏ３６［Ｍｅｔ（Ｏ）１４，Ｔｒｐ（Ｏ２）２５，Ａｓｐ２８］エキセンジン−４（１−３９）；
ｄｅｓＰｒｏ３６［Ｍｅｔ（Ｏ）１４，Ｔｒｐ（Ｏ２）２５，ＩｓｏＡｓｐ２８］エキセンジン−４（１−３９）；
ここで、基−Ｌｙｓ６−ＮＨ2は、エキセンジン−４誘導体のＣ−末端と連結してもよく；
【００４７】
又は以下の配列のエキセンジン−４誘導体：
Ｈ−（Ｌｙｓ）６−ｄｅｓＰｒｏ３６［Ａｓｐ２８］エキセンジン−４（１−３９）−Ｌｙｓ６−ＮＨ2；
ｄｅｓＡｓｐ２８，Ｐｒｏ３６，Ｐｒｏ３７，Ｐｒｏ３８エキセンジン−４（１−３９）−ＮＨ2；
Ｈ−（Ｌｙｓ）６−ｄｅｓＰｒｏ３６，Ｐｒｏ３８［Ａｓｐ２８］エキセンジン−４（１−３９）−ＮＨ2；
Ｈ−Ａｓｎ−（Ｇｌｕ）５ｄｅｓＰｒｏ３６，Ｐｒｏ３７，Ｐｒｏ３８［Ａｓｐ２８］エキセンジン−４（１−３９）−ＮＨ2；
ｄｅｓＰｒｏ３６，Ｐｒｏ３７，Ｐｒｏ３８［Ａｓｐ２８］エキセンジン−４（１−３９）−（Ｌｙｓ）６−ＮＨ2；
Ｈ−（Ｌｙｓ）６−ｄｅｓＰｒｏ３６，Ｐｒｏ３７，Ｐｒｏ３８［Ａｓｐ２８］エキセンジン−４（１−３９）−（Ｌｙｓ）６−ＮＨ2；
Ｈ−Ａｓｎ−（Ｇｌｕ）５−ｄｅｓＰｒｏ３６，Ｐｒｏ３７，Ｐｒｏ３８［Ａｓｐ２８］エキセンジン−４（１−３９）−（Ｌｙｓ）６−ＮＨ2；
Ｈ−（Ｌｙｓ）６−ｄｅｓＰｒｏ３６［Ｔｒｐ（Ｏ２）２５，Ａｓｐ２８］エキセンジン−４（１−３９）−Ｌｙｓ６−ＮＨ2；
Ｈ−ｄｅｓＡｓｐ２８  Ｐｒｏ３６，Ｐｒｏ３７，Ｐｒｏ３８［Ｔｒｐ（Ｏ２）２５］エキセンジン−４（１−３９）−ＮＨ2；
Ｈ−（Ｌｙｓ）６−ｄｅｓＰｒｏ３６，Ｐｒｏ３７，Ｐｒｏ３８［Ｔｒｐ（Ｏ２）２５，Ａｓｐ２８］エキセンジン−４（１−３９）−ＮＨ2；
Ｈ−Ａｓｎ−（Ｇｌｕ）５−ｄｅｓＰｒｏ３６，Ｐｒｏ３７，Ｐｒｏ３８［Ｔｒｐ（Ｏ２）２５，Ａｓｐ２８］エキセンジン−４（１−３９）−ＮＨ2；  
ｄｅｓＰｒｏ３６，Ｐｒｏ３７，Ｐｒｏ３８［Ｔｒｐ（Ｏ２）２５，Ａｓｐ２８］エキセンジン−４（１−３９）−（Ｌｙｓ）６−ＮＨ2；
Ｈ−（Ｌｙｓ）６−ｄｅｓ  Ｐｒｏ３６，Ｐｒｏ３７，Ｐｒｏ３８［Ｔｒｐ（Ｏ２）２５，Ａｓｐ２８］エキセンジン−４（１−３９）−（Ｌｙｓ）６−ＮＨ2；
Ｈ−Ａｓｎ−（Ｇｌｕ）５−ｄｅｓＰｒｏ３６，Ｐｒｏ３７，Ｐｒｏ３８［Ｔｒｐ（Ｏ２）２５，Ａｓｐ２８］エキセンジン−４（１−３９）−（Ｌｙｓ）６−ＮＨ2；
Ｈ−（Ｌｙｓ）６−ｄｅｓＰｒｏ３６［Ｍｅｔ（Ｏ）１４，Ａｓｐ２８］エキセンジン−４（１−３９）−Ｌｙｓ６−ＮＨ2；
ｄｅｓＭｅｔ（Ｏ）１４，Ａｓｐ２８，Ｐｒｏ３６，Ｐｒｏ３７，Ｐｒｏ３８  エキセンジン−４（１−３９）−ＮＨ2；
Ｈ−（Ｌｙｓ）６−ｄｅｓＰｒｏ３６，Ｐｒｏ３７，Ｐｒｏ３８［Ｍｅｔ（Ｏ）１４，Ａｓｐ２８］エキセンジン−４（１−３９）−ＮＨ2；
Ｈ−Ａｓｎ−（Ｇｌｕ）５−ｄｅｓＰｒｏ３６，Ｐｒｏ３７，Ｐｒｏ３８［Ｍｅｔ（Ｏ）１４，Ａｓｐ２８］エキセンジン−４（１−３９）−ＮＨ2；
ｄｅｓＰｒｏ３６，Ｐｒｏ３７，Ｐｒｏ３８［Ｍｅｔ（Ｏ）１４，Ａｓｐ２８］エキセンジン−４（１−３９）−（Ｌｙｓ）６−ＮＨ2；
Ｈ−（Ｌｙｓ）６−ｄｅｓＰｒｏ３６，Ｐｒｏ３７，Ｐｒｏ３８［Ｍｅｔ（Ｏ）１４，Ａｓｐ２８］エキセンジン−４（１−３９）−（Ｌｙｓ）６−ＮＨ2；
Ｈ−Ａｓｎ−（Ｇｌｕ）５，ｄｅｓＰｒｏ３６，Ｐｒｏ３７，Ｐｒｏ３８［Ｍｅｔ（Ｏ）１４，Ａｓｐ２８］エキセンジン−４（１−３９）−（Ｌｙｓ）６−ＮＨ2；
Ｈ−Ｌｙｓ６−ｄｅｓＰｒｏ３６［Ｍｅｔ（Ｏ）１４，Ｔｒｐ（Ｏ２）２５，  Ａｓｐ２８］エキセンジン−４（１−３９）−Ｌｙｓ６−ＮＨ2；
Ｈ−ｄｅｓＡｓｐ２８，Ｐｒｏ３６，Ｐｒｏ３７，Ｐｒｏ３８［Ｍｅｔ（Ｏ）１４，Ｔｒｐ（Ｏ２）２５］エキセンジン−４（１−３９）−ＮＨ2；
Ｈ−（Ｌｙｓ）６−ｄｅｓ  Ｐｒｏ３６，Ｐｒｏ３７，Ｐｒｏ３８［Ｍｅｔ（Ｏ）１４，Ａｓｐ２８］エキセンジン−４（１−３９）−ＮＨ2；
Ｈ−Ａｓｎ−（Ｇｌｕ）５−ｄｅｓＰｒｏ３６，Ｐｒｏ３７，Ｐｒｏ３８［Ｍｅｔ（Ｏ）１４，Ｔｒｐ（Ｏ２）２５，Ａｓｐ２８］エキセンジン−４（１−３９）−ＮＨ2；
ｄｅｓＰｒｏ３６，Ｐｒｏ３７，Ｐｒｏ３８［Ｍｅｔ（Ｏ）１４，Ｔｒｐ（Ｏ２）２５，Ａｓｐ２８］エキセンジン−４（１−３９）−（Ｌｙｓ）６−ＮＨ2；
Ｈ−（Ｌｙｓ）６−ｄｅｓＰｒｏ３６，Ｐｒｏ３７，Ｐｒｏ３８［Ｍｅｔ（Ｏ）１４，Ｔｒｐ（Ｏ２）２５，Ａｓｐ２８］エキセンジン−４（Ｓ１−３９）−（Ｌｙｓ）６−ＮＨ2；
Ｈ−Ａｓｎ−（Ｇｌｕ）５−ｄｅｓＰｒｏ３６，Ｐｒｏ３７，Ｐｒｏ３８［Ｍｅｔ（Ｏ）１４，Ｔｒｐ（Ｏ２）２５，Ａｓｐ２８］エキセンジン−４（１−３９）−（Ｌｙｓ）６−ＮＨ2；
又は前述のいずれかのエキセンジン−４誘導体の薬学的に許容可能な塩若しくは溶媒和物；
から選択される。
【００４８】
ホルモンは、例えば、ゴナドトロピン(ホリトロピン、ルトロピン、コリオンゴナドトロピン、メノトロピン)、ソマトロピン (ソマトロピン)、デスモプレッシン、テルリプレッシン、ゴナドレリン、トリプトレリン、ロイプロレリン、ブセレリン、ナファレリン、ゴセレリンなどのRote Liste、２００８年版、５０章に表示されている脳下垂体ホルモン又は視床下部ホルモン又は規制活性ペプチド及びそれらの拮抗剤である。
【００４９】
多糖類としては、例えば、ヒアルロン酸、ヘパリン、低分子量ヘパリン、又は超低分子量ヘパリン、若しくはその誘導体などのグルコアミノグリカン、又はスルホン化された、例えば、上記多糖類のポリスルホン化形体、及び／又は、薬学的に許容可能なその塩がある。ポリスルホン化低分子量ヘパリンの薬学的に許容可能な塩の例としては、エノキサパリンナトリウム塩がある。
【００５０】
薬学的に許容可能な塩は、例えば、酸付加塩及び塩基塩がある。酸付加塩としては、例えば、ＨＣｌ又はＨＢｒ塩がある。塩基塩は、例えば、アルカリ又はアルカリ土類金属、例えば、Ｎａ+、又は、Ｋ+、又は、Ｃａ2+から選択されるカチオン、又は、アンモニウムイオンＮ+（Ｒ１）（Ｒ２）（Ｒ３）（Ｒ４）を有する塩であり、ここで、Ｒ１〜Ｒ４は互いに独立に、水素；場合により置換されるＣ１−Ｃ６アルキル基；場合により置換されるＣ２−Ｃ６アルケニル基；場合により置換されるＣ６−Ｃ１０アリール基、又は場合により置換されるＣ６−Ｃ１０ヘテロアリール基である。薬学的に許容される塩の更なる例は、“Remington's Pharmaceutical Sciences”17編、Alfonso R.Gennaro（編集），Mark
Publishing社，Easton, Pa., U.S.A.,1985 及び Encyclopedia of Pharmaceutical Technologyに記載されている。
【００５１】
薬学的に許容可能な溶媒和物としては、例えば、水和物がある。
【００５２】
参照番号リスト：
１：注射装置；
２：薬剤容器；
２．１：バッグ；
２．２：流出口；
３：圧縮手段；
４：支持体；
５：バルブ；
６：中空ニードル；
Ｆ：力；
Ｆ′：反作用力；
ｖ：速度；
【図１】
0005777614.tif 000002